Podtech/llm-jp-corpus-v4-ja_patent huggingface dataset:
(57)【要約】【課題】  一度セットした鉄筋がはづれることがないような機能を有し、かつ製造コストを下げて利用者がより購入し易い流通価格の鉄筋転落防止型スペーサーを提供する。【解決手段】  鉄筋がスペーサーから転落しない様な特徴的形状を有する合成樹脂製アタッチメントをを該鋼線スペーサーにはめ込む。【選択図】  図２
2005232942.tif 000002
【特許請求の範囲】
【請求項１】
該鋼線スペーサーの上に載せた鉄筋がこれから転落するのを防止するための特徴的形状を有する合成樹脂製アタッチメント。
【発明の詳細な説明】
【技術分野】
【０００１】  本発明は、鉄筋コンクリート造の建築物に関する。かかる建築物における屋内外の床の施工に際して使用する鉄筋は、コンクリート外面より所定の深さに埋設されていければならない。この深さを確保するために、スペーサーと称する金物の上に鉄筋を設置する。本発明はこのスペーサーに関する。
【背景技術】
【０００２】  従来、床用のスペーサーとしてはコンクリート製ブロック、ポリエチレン樹脂製のもの、および鋼線をプレス加工したものなど種々多彩である。これらのスペーサーには夫々鉄筋をその上に載せたとき鉄筋の上での作業者の歩行などによる鉄筋の跳ね上がり現象の際、鉄筋がスペーサーから外れてしまうことを防ぐ目的で、載せた鉄筋を挟み込む機能を有しているものがあるが鋼線スペーサーにおけるその方法は、該スペーサーの鉄筋を載せる部分にスプリング薄帯鋼板をΩ状に加工したものを逆Ω状態にスポット溶接し、ここに上方から鉄筋を落して挟み込んでいる。
【発明の開示】
【発明が解決しようとする課題】
【０００３】  上述の如くの鋼線スペーサーにスプリング薄帯鋼板をスポット溶接したものは、溶接時に発生する熱のために変質してスプリング効果が低下し挟み込む力が弱くなるためせっかくセットした鉄筋がしばしばはづれてしまう。またスプリング薄帯鋼板の材料はかなり高価な上Ω状に加工しなければならないのでその加工費、さらに鋼線スペーサーの上部にスポット溶接する工賃などで製造コストがかかるため必然的に流通価格も高くなっている。
したがって、一度セットした鉄筋がはづれることがないような機能を有し、かつ製造コストを下げて利用者がより購入し易い流通価格にしなければならない。
【課題を解決するための手段】
【０００４】  本発明者は鋭意研究した結果、鉄筋を堅固に定着せしめ尚且つ大幅に製造コストを低減した鉄筋転落防止型の鋼線スペーサーを造ることに成功した。このスペーサーは、鉄筋を挟み込む部分を別途に合成樹脂で製造し、これを該鋼線スペーサーの上部にはめ込むのである。【０００５】  以下、本発明を図に従い、詳しく説明する。
図１は本発明による鉄筋転落防止型鋼線スペーサーのイメージ図である。ここで（ａ）は鋼線スペーサーの足元をポリエチレン樹脂で防錆処理したもの、また（ｂ）は同じく足元に合成樹脂製のキャップを差し込んで防錆処理したものである。いづれも符号１は該鋼線スペーサー、符号２は本発明による鉄筋転落防止用の合成樹脂製のアタッチメントである。符号３は上述のポリエチレン樹脂による防錆部分、符号４は上述の合成樹脂製のキャップである。
図２は符号２の鉄筋転落防止用の合成樹脂製のアタッチメントの詳細なイメージ図である。ここで符号５は一度はめ込んだ鉄筋がその後転落しないように折り返された先端部の巾が鉄筋の外径より狭くしてある。また符号６は該鋼線スペーサーにはめ込んで取り付けた後にはずれない様に鋼線の線径より若干狭くしてある部分である。即ち本発明による鉄筋転落防止用の合成樹脂製のアタッチメントは、その上部においては鉄筋を挟み込んで鉄筋のスペーサーからの転落を防止し、且つその下部においては該鋼線スペーサーに堅固に取り付く機能を有している。図３は符号１の該鋼線スペーサーの上部に本発明による符号２のアタッチメントを押し込んで取り付け、鉄筋転落防止型スペーサーとしたものに符号７の鉄筋を載せた状態のイメージ図である。
【発明の効果】
【０００６】  本発明による合成樹脂製アタッチメントを用いた鉄筋転落防止型スペーサーは、従来のスプリング薄肉鋼板を用いた同型スペーサーのように一度セットした鉄筋がしばしばスペーサーから外れてしまうようなことが全くない。
また本発明品たる合成樹脂製アタッチメントは、その原料たるポリエチレンチップ材が比較的安価なこと及び射出成型による生産性が非常に良いこと等により従来のスプリング薄肉鋼板をΩ状に加工したものよりもかなり安価で製造できる。さらに該スペーサーへの取り付けは、従来のようにスポット溶接をする必要もなく上方から押し込むだけなのでやはり生産性がよい。このようなコストダウンの結果、従来市場で流通している価格より大幅に安く市場に提供できる。
【実施例】
【０００７】  まず配筋状態を次のように設定した。即ち呼び径Ｄ１６、長さ５．５ｍの建築用異形鉄筋をスラブを想定してＸ方向、Ｙ方向ともに２００ｍｍのピッチに配筋した。これらの鉄筋をＸ，Ｙ方向それぞれ１ｍ間隔にセットした合計３６個の本発明品たる鉄筋転落防止型スペーサーで浮かし、実際に建築現場でスペーサーを使用する状態を設置した。
この状態で通常作業者が鉄筋の上で行なう結束線による鉄筋の結束作業などを行なったが上述のごとくにセットした３６個のスペーサーから鉄筋が転落することはなく、本発明による合成樹脂製アタッチメントの鉄筋転落防止効果が確認された。
【図面の簡単な説明】
【０００８】
【図１】本発明による合成樹脂製アタッチメントを装着した鉄筋転落防止型スペーサーのイメージ図。
【図２】本発明による合成樹脂製アタッチメントの詳細なイメージ図。
【図３】図１の鉄筋転落防止型スペーサーに鉄筋を載せたイメージ図。
【符号の説明】
【０００９】      １，該鋼線スペーサー
２，合成樹脂製のアタッチメント
３，ポリエチレン樹脂による防錆部分
４，合成樹脂製のキャップ
５，鉄筋の転落防止のための折り返し
６，該鋼線スペーサーの線径より若干狭くした部分
７，異形鉄筋
【図１】
2005232942.tif 000003
【図２】
2005232942.tif 000004
【図３】
2005232942.tif 000005
(57)【要約】【課題】モザイクタイル施工において、タイルの接着力を強力にし、剥離防止する事と、同時にたたき音やタイル割れを無くすことが目的である。【解決手段】  タイルのたたき板と同様なサイズの、箱状である本体下部２の底に、本体上部１の蓄電池６からＯＮ，ＯＦＦスイッチ７で駆動する振動モーター３を、取り付け板９にホルダー４で取り付け、その振動を本体下部２底面全体のスジ状凹凸ゴム板１１に伝わるように、弾力性のある両面粘着テープ１４と取り付けネジ１６で止める事により、適度な振動を伝えて、もみ込むように押えて張ることが出来る。その結果タイル裏面全体に張り付けセメントが十分に充填される為、強度も上がり、たたき音やタイル割れの問題も解決できる。【選択図】  図１
2005232947.tif 000002
【特許請求の範囲】
【請求項１】
モザイクタイル、張り付け道具（通称たたき板）を、本体がＡＢＳ等を材質とし蓄電池で駆動する、振動モーターを本体内部に組み込み、振動で張り付ける、たたき板と同様サイズの箱型にした、張り付け道具。
【発明の詳細な説明】
【技術分野】
【０００１】  この発明はタイル施工においてモザイクタイルを強力に張り付け、又たたき音も無くす電動式道具に関するものである。
【背景技術】
【０００２】  通常、使用されるモザイクタイルは、裏面がうら足と呼ばれる凹凸のある形状をしており、事前に塗布した、張り付けセメントが、その凹凸に充填されることにより、タイルが張り付けされる。しかし従来のたたき板使用による、モザイクタイル施工法では、作業途中の段階にタイル面において上下垂直にしか力が加わらず、張り付けセメントの充填率が低くなるため、後に剥離することもある。実際、過去に剥離落下事故も発生している。又、たたき込む施工のためにタイル割れや、たたき付けの音が近隣等に騒音の原因にもなった。
【発明の開示】
【発明が解決しようとする課題】
【０００３】  本発明は、その欠点をなくす為に、▲１▼仕上がり強度を上げる為タイル裏面全体に張り付けセメントを充填させるようにする。▲２▼張り付け時のタイル割れや、たたき音をなくす、を課題として研究をすすめた。
【課題を解決するための手段】
【０００４】  張り付けの際、たたき込みをせずに、適度な振動でもみ込むように張り付ける方法が、タイル裏面全体に張り付けセメントを十分に充填させ、結果、強度を上げる事が出来、同時にタイル割れや、たたき音を無くすのにも最も有効である事を発見した。
【発明の効果】
【０００５】  この発明は、張り付け道具を電動の振動モーター式にする事によって、タイルの張り付け時に、たたき音も無しに、もみこむように張り付け施工が出来る。又、本体下部２の底面全体にスジ状凹凸ゴム板１１を張り付ける事によって、もみ込む際タイルに適度な振動が伝わり、張り付けセメントがタイル裏面に均等に充填される。さらに従来のたたき板と同様なサイズにしたことで、本来の握りやすさを失う事も無く、本体１．２の材質にはＡＢＳ等を用いたため、軽量で作業がしやすくなる。
【発明の実施するための最良の形態】
【０００６】  以下、本発明の実施の形態を図面に基づいて説明する。
【０００７】  図１は実施形態の構成を示す斜視図である。
【０００８】  振動モーター３は図３で示したように円形ウエート５を中心よりずらしモーター軸３ａに取り付けされていて、回転させると、振動が発生する。
【０００９】  振動モーター３を駆動させる為に、図４図６で示したように畜電池６が設けてある。
【００１０】  図４図６で示すように蓄電池ボックスを配置し、上面より開閉扉１０を設ける。又落下防止用ストラップの穴１３を開けておく。
【００１１】  ＯＮ，ＯＦＦスイッチ７はプッシュボタン式で、操作をしやすい本体上部１の上中央に配置する。
【００１２】  蓄電池６の電力は電流ケーブル１２を通りＯＮ，ＯＦＦスイッチ７を介し振動モーター３を駆動させる。
【００１３】  振動モーター３は、図３に示すようにホルダー４と取り付けネジ１５により、平板状の取り付け板９に取り付ける。
【００１４】  取り付け板９は弾力性のある両面粘着テープ１４と、取り付けネジ１６によって本体下部２に取り付ける。
【００１５】  本体下部２の底面全体にはスジ状凹凸ゴム板１１を張り付ける。
【００１６】  本体上部１本体下部２を止めるネジ穴１７のネジ受け１８上部に弾力ゴム体のパッキン８を取り付けて置く。それによって施工時に本体上部１、即ち手元への振動がやわらぎ、作業がしやすくなる。
【００１７】  本体上部１本体下部２の重ね面については、本体上部１側を凸に、本体下部２側を凹面にしておく。上記「００１６」により生じるであろう、異物混入可能な空間を作らないためのものである。
【図面の簡単な説明】
【００１８】
【図１】  本発明の斜視図
【図２】  Ｄ方向から見た、本体上部１の断面図
【図３】  Ａ方向から見た、本体下部２の断面図
【図４】  Ｃ方向から見た、本体上部１の断面図
【図５】  Ｃ方向から見た、本体下部２の断面図
【図６】  Ｅ方向から見た、本体上部１の平面図
【図７】  Ｂ方向から見た、本体下部２の平面図
【符号の説明】
【００１９】      １  本体上部
２  本体下部
３  振動モーター
４  ホルダー
５  円形ウエート
６  蓄電池
７  ＯＮ，ＯＦＦスイッチ
８  弾力ゴム体のパッキン
９  取り付け板
１０蓄電池ボックスの開閉扉
１１スジ状凹凸ゴム板
１２電流ケーブル
【図１】
2005232947.tif 000003
【図２】
2005232947.tif 000004
【図３】
2005232947.tif 000005
【図４】
2005232947.tif 000006
【図５】
2005232947.tif 000007
【図６】
2005232947.tif 000008
【図７】
2005232947.tif 000009
(57)【要約】【課題】  従来、外開き窓用防虫網は、換気の為めに窓を開け閉めする時に防虫網が内側に有る為めに虫が入る、窓枠と窓の間にクモの巣が張る事もあり、窓の開閉時に掃除しないと衛生上問題が有るので窓の開閉時に虫などが入らない様にする。【解決手段】  外開き式窓は換気の為に外側に開く、その時取手部、継手部、上部、下部の４箇所の隙間が出来る、その空間に虫、クモの巣が入らない様に４箇所を塞ぐ、取手部は最大の隙間が出来るので室内換気の為に空気の出し入れ出来る巻取式防虫網を取付ける、継手部は隙間が小さいので伸縮性の有る布幕で塞ぎ、上部、下部の隙間はスライド式塞ぎ板を組合せ窓と窓枠に出来る隙間を最小限にする。【選択図】      図１
2005232943.tif 000002
【特許請求の範囲】
【請求項１】
外開き式窓を室内換気の為に開閉する時、虫などが入らない様に防虫網等を取付ける外開き窓枠と窓の間に出来る隙間は、取手部、継手部、上部、下部の４箇所、各部の隙間を塞ぐ為に取手部は巻取式防虫網、継手部は塞ぎ幕、上部、下部は塞ぎ板を組合わせて虫などの侵入を防止して、換気が出来る様に窓枠と窓との間に取付ける、外開き式窓取付用隙間塞ぎ型換気防虫網。
【発明の詳細な説明】
【技術分野】
【０００１】  本発明は建物用の外開き式窓に防虫網、塞ぎ板、塞ぎ幕を取付る事に依り開閉時に虫等が室内に侵入せず、室内換気が出来る、外開き式窓用隙間塞ぎ型防虫網。
【背景技術】
【０００２】  従来、外開き窓用防虫網は、室内側に取付、換気の為め窓を開け防虫網を下げ、窓を閉める時は、防虫網を上げて窓を閉める方式と、内開き式防虫網も防虫網を開け窓を開け防虫網を閉める、窓を閉める時は防虫網を開けて窓を閉めて防虫網を閉める、どちらの方式も開け閉めの時に虫が入る事が有る窓と窓枠の間にクモの巣が張る時も有り、非衛生的。【０００３】
【非特許物件１】
「株式会社  川口技研のカタログ」  ＯＫ内開きアミド
【発明の開示】
【発明が解決しようとする課題】
【０００４】  従来、外開き窓用防虫網は、換気の為めに窓を開け閉めする時に防虫網が内側に有る為めに虫が入る、窓枠と窓の間にクモの巣が張る事もあり、窓の開閉時に掃除しないと衛生上問題が有るので窓の開閉時に虫などが入らない様にする。
【課題を解決するための手段】
【０００５】  外開き式窓を室内換気の為に開閉する時、虫などが入らない様に防虫網等を取付ける外開き窓枠と窓の間に出来る隙間は、取手部、継手部、上部、下部の４箇所、各部の隙間を塞ぐ為に取手部は巻取式防虫網、継手部は塞ぎ幕、上部、下部は塞ぎ板を組合わせて虫などの侵入を防止して、換気が出来る様に窓枠と窓との間に取付ける、外開き式窓取付用隙間塞ぎ型換気防虫網。
【発明の効果】
【０００６】  本発明は、従来の外開き窓用防虫網は内側に有る為、開け閉め時に虫が入る又窓枠と窓の間に、クモの巣が張る事も有り内付け防虫網の欠点を改善する為めに、外開き式窓取付用隙間塞ぎ型防虫網を取付ける事により、室内換気の為めの窓の開け閉めがより、衛生的で開け閉めの取扱が簡単になる。
【発明を実施するための最良の形態】
【０００７】  外開き式窓は換気の為に外側に開く、その時取手部、継手部、上部、下部の４箇所の隙間が出来る、その空間に虫、クモの巣が入らない様に４箇所を塞ぐ、取手部は最大の隙間が出来るので室内換気の為に空気の出し入れ出来る巻取式防虫網を取付ける、継手部は隙間が小さいので伸縮性の有る布幕で塞ぎ、上部、下部の隙間はスライド式塞ぎ板を組合せ窓と窓枠に出来る隙間を最小限にする。
【図面の簡単な説明】
【０００８】
【図１】  外開き式窓取付用隙間塞ぎ型換気防虫網の開時斜視図
【図２】  外開き式窓取付用隙間塞ぎ型換気防虫網の閉時正面図
【図３】  図２のＢ−Ｂ矢視図  ２，３は上下対称
【図４】  図１のＡ−Ａ矢視図  ２，３は上下対称
【符号の説明】
【０００８】  １      取手部巻取式防虫網
２      上部塞ぎ板
３      下部塞ぎ板
４      継手部塞ぎ幕
５      窓枠
６      窓
７      ガラス
【図１】
2005232943.tif 000003
【図２】
2005232943.tif 000004
【図３】
2005232943.tif 000005
【図４】
2005232943.tif 000006
(57)【要約】【課題】  マンション、戸建住宅等の屋内、若しくは、それに類する場所において、防水工事、湿度、臭気等費用的、施工上の問題点を気にすることなく鑑賞を楽しみ、植栽を楽しめる、庭園を設置できるシステムを提供する。【解決手段】  簡易的に設置でき、運搬が容易に出来る箱状に造る。更に設置費用の問題も低コスト化が可能である。そのような条件をクリアした庭園型ユニットルームを設置することで、従来、生活空間内での造園が困難であった屋内庭園を可能にする。【選択図】  図1                                                    
2005218397.tif 000002
【特許請求の範囲】
【請求項１】
住宅等屋内において、鑑賞及び植栽の楽しみ等が出来る、簡易的設置の可能な、防水屋内型の庭園用ユニットルーム。
【発明の詳細な説明】
【技術分野】
【０００１】
この発明は、住宅等屋内において、多大な費用を要する防水工事等を、また、室内への湿度の防止等の省略を可能にして庭園を設置する。
【背景技術】
【０００２】
従来、住宅等屋内に鑑賞及び植栽の楽しみの為に、庭園を設置することは、防水、排水工事、湿度調整、その他様々な問題点がありました。更に、その設備の性質上、技術的なものと、多大な設備工事費の必要性から困難でありました。
【発明の開示】
【発明が解決しようとする課題】
【０００３】
解決しようとする問題点は、庭園を生活空間である屋内に設置することは、植栽の為の散水に対する防水、排水工事、湿気の室内への影響、防虫、時には、植物の臭いの防止等、様々な問題点がありました。更に、その設備の性質上、技術的なものと、多大な設備工事費の必要性から困難でありました。
【課題を解決するための手段】
【０００４】
この発明は、簡易に屋内に設置できるように、ユニットルーム構造で、その材質は、防水可能な材質で作られ、散水、排水等の設備を付属し、全体を運搬容易な箱状に造るのが特徴である。
【発明の効果】
【０００５】
この発明の庭園ユニットルームは、あらかじめ別の工場で容易に運搬設置できる形状に作成されているので、屋内庭園の造作の為の防水工事等、様々な設置工事を省略できる。
【発明を実施するための最良の形態】
【０００６】
屋内庭園の造作を可能な限り、工事費の簡素化と庭園設置特有の諸条件を克服して、容易に設置できる目的の為に、庭園のユニット化を実現した。
【実施例１】
【０００７】
図1はこの発明の基本的な断面図である。1はこの考案を構成する構造体であり、特に下部部分においては、プラステイック等防水可能な材質で作られている。2は庭園を鑑賞できるガラス、プラスチック等で出来た透明な壁、開口部である。4は1と同じくこの考案を構成する天井部である。5は排気のための換気装置。6は給気機能である。7はこの考案の目的である植栽の為の砕石、土等を蓄えるスペースである。8は庭園ユニットの支柱。9、10は植栽、鑑賞用池等の散水のための排水の設備であり図1の断面が示すように、土等が直接排水口へ侵入しないように土溜まりスペースがあり、11は排水部の掃除の為の点検蓋である。
【０００８】
設置場所、条件によっては1の側面外壁の何面かを、2の鑑賞できるガラス、プラスチック等で出来た透明な壁と同様の材質で構成しても良い。4の天井部も設置場所によっては採光、換気を得るために透明な材質若しくは開放しても良い。
【０００９】
図2はこの考案の外観図である。3は庭園部への出入り口。5は湿気、臭気等を排気する為の換気機能である。この換気機能は4の天井部に取り付けても良い。
【産業上の利用可能性】
【００１０】
以上のようにこの考案に依れば、従来、住宅等屋内に庭園を設置するとき、防水工事、湿度、臭気、花粉等で費用的、施工上等の問題で困難でありましたが、この考案のユニットを設置することで解決でき、更には設置場所の問題も、どのような場所でも容易に設置できる。
【図面の簡単な説明】
【００１１】
【図１】この発明の実施方法を示した断面図である。
【図２】この発明の実施方法を示した外観図である。
【符号の説明】
【００１２】
1…庭園ユニットルームの外壁  2…鑑賞用開口部  3…庭園部出入り口4…庭園ユニットルーム天井部  5…換気設備  6…給気  7…植栽スペース8…ユニット用支柱  9…配水管  10…排水桝  11…排水設備用点検蓋
【図１】
2005218397.tif 000003
【図２】
2005218397.tif 000004
(57)【要約】【目的】  新鮮ないちごに独特の味を加えるとともに、食べ課すが散乱しないようにする。【構成】  いちご本体１の先端部にチョコレートシロップ２を付着せしめ、必要に応じていちご本体１には支持棒５を取付けて持ちやすくし、いちご、チョコレートシロップ２箱体１０内のそれぞれの収納部１１、１２…１５に収納されている。【選択図】  図１
2005218391.tif 000002
【特許請求の範囲】
【請求項１】
いちご本体の表面にチョコレートシロップを付着せしめたことを特徴とするいちご菓子。
【請求項２】
前記いちご本体に支持棒が取付けられている請求項１記載のいちご菓子。
【請求項３】
いちごを入れる第１収納部と、いちごの食べかすのへたを入れる第２収納部と、チョコレートシロップを収納する第３収納部と、コンデンスミルクを入れる第４収納とからなり、前記第１収納部のいちごを第３収納部のチョコレートシロップに浸漬せしめて、いちごの表面にチョコレートシロップを付着せしめるようにしたいちご菓子の収納ユニット。
【請求項４】
前記収納ユニットは、更に前記支持棒を収納する第５収納部を備えたことを特徴とする請求項３記載のいちご菓子。
【発明の詳細な説明】
【技術分野】
【０００１】
本発明は、いちご狩り等において提供されるいちご菓子およびそれを収納する収納ユニットに関する。
【背景技術】
【０００２】
一般に、いちご狩り等においては、摘み取ったいちごをそのまま食べることもあるが、いちごを容器に入れてそこにミルクをかけて食べることも行なわれている。
【発明の開示】
【発明が解決しようとする課題】
【０００３】
ところが、お客はいちごを食べた後、へたをそのまま捨ててしまったりして現場が汚れるばかりでなく、新鮮ないちごをそのまま食することで満足しており、いちごの本来の味に変化をもたせて、特に若い人々の味覚に合わせるという工夫がなされていなかった。
【課題を解決するための手段】
【０００４】
そこで、本発明は、いちご本体の表面にチョコレートシロップを付着せしめた。
【０００５】
更に本発明はいちごを入れる第１収納部と、いちごの食べかすのへたを入れる第２収納部と、チョコレートシロップを収納する第３収納部と、コンデンスミルクを入れる第４収納とからなり、前記第１収納部のいちごを第３収納部のチョコレートシロップに浸漬せしめて、いちごの表面にチョコレートシロップを付着せしめるようにした。
【発明の効果】
【０００６】
いちごの表面の一部にチョコレートシロップを付着せしめれば、従来にない独特の味をかもし出すことができ、また、前記収納体ユニットを用いれば、いちごの表面に簡単にチョコレートシロップを付着せしめることができるとともに食べかすのへたが散乱することがない。
【発明を実施するための最良の形態】
【０００７】
以下、図面を参照して本発明の最良の実施形態について説明する。
【０００８】
図１において、摘みたてのいちご本体１の上半部には、チョコレートシロップが付着され、その下部には、へた３が取付けられ、このへた３を通して支持棒４がいちご本体１内に突きささっていちご菓子Ｃが形成されている。
【０００９】
前記チョコレートシロップ２は、砂糖、果糖、液糖、水あめ、ココア、食塩、香料等からなり、練ったりする必要がなく、好みに応じてこのシロップにミルク等を混入させてもよい。
【００１０】
このいちご菓子Ｃは、摘みたてのいちごの上半部をチョコレートシロップ２内に浸漬することによって形成される。なお、いちご菓子Ｃには、チョコレートシロップの代わりに、コンデンスミルク、ホワイトチョコレート、メープルシロップを付着させてもよい。
【００１１】
図２は、いちご狩り等で使用されるいちご菓子収納ユニットＵを示し、この収納ユニットＵは、例えばプラスチックからなる箱体１０を有し、この箱体１０には、摘みたてのいちごを収納するためのいちご収納部１１と、いちごにコンデンスミルクを付着せしめるときのミルクを収納するミルク収納部１２と、チョコレートシロップを収納するためのチョコレートシロップ収納部１３と、食べかすのへた３を収納するためのへた収納部１４と、いちご本体１を支持するための支持棒１６を収納する支持棒収納部１５を備えている。
【００１２】
前記いちご収納部１１は、いちごを立てた状態で収納できるように、下方が絞られた形状をなす複数の収納凹部１７を備えており、いちごのへたを上方に位置せしめて支持棒１６を各いちごに突き刺しやすいようになっている。また、前記支持棒収納部１５は、支持棒押え１８と支持棒の基部を把持して取り出し易いように指挿入凹部１７を備えている。
【００１３】
いちごを食べるときには、収納ユニットＵの支持棒収納部１５の指挿入部１７に指を挿入して支持棒１６をそこからつまみ出し、それをへた３を通していちご本体１に突き刺して持ち上げ、次いでいちごの先端部をチョコレートシロップ又はミルク（チョコレートシロップとミルクの両方に浸漬せしめてもよい。）に浸漬せしめていちご菓子として食する。特にいちご本体１にチョコレートシロップを付着せしめれば、いちごの味とチョコレートの味が組み合わさって従来にない独特の味をかもし出すことができ、特に若い人の味覚に会わすことができる。特に酸味の強いものには、チョコレートの甘さがなじんでおいしい風味を出すことができる。
【００１４】
食べかすのへた３は、へた収納部１４に収納され、いちご狩り現場が汚されることがない。なお、各収納部を仕切りによって区分けしてもよいし、図３に示すように別にプラスチックの小皿３０で区分けすることも可能である。また、前記収納ユニットＵに蓋２０を取付け、いちごとチョコレートシロップとミルクをセットにしてスーパー、菓子店等でいちご菓子として販売することも可能である。
【図面の簡単な説明】
【００１５】
【図１】本発明のいちご菓子の斜視図である。
【図２】本発明のいちご菓子を収納する収納ユニットの斜視図である。
【図３】本発明の他の実施形態を示す収納ニットの斜視図である。
【符号の説明】
【００１６】
１…いちご本体
２…チョコレートシロップ
１０…箱体
Ｕ…いちご菓子収納ユニット
Ｃ…いちご菓子
【図１】
2005218391.tif 000003
【図２】
2005218391.tif 000004
【図３】
2005218391.tif 000005
(57)【要約】【課題】お正月以外に需要が落ち込む栗きんとんの生産量を安定させる。【解決手段】栗きんとんを大福もちの中身に使用する。【特許請求の範囲】
【請求項１】
栗きんとんを大福の外皮で包んだ、中身を変えた大福もち
【発明の詳細な説明】
【技術分野】
【０００１】この発明は中身を変えた大福もちに関するものである。
【背景技術】
【０００２】大福もちと言えばこれまで、こしあん・つぶあん等が中身として使われてきた。また近年に入り果物のイチゴや、アイスクリームが大福もちの中身として使われたことは知られている。
【発明の開示】
【発明が解決しようとする課題】
【０００３】栗きんとんは、お正月のおせち料理に使われる食品である。しかし商品としての性格上、おせち料理以外では使用される事はなく、また日常の料理として食することもない。そのため年末期以外に需要が減少し、年間を通して安定した生産が見込めなかった。
【課題を解決するための手段】
【０００４】栗きんとんを、和菓子の大福もちに使用される外皮で包む。この発明は以上の構成よりなる中身を変えた大福もちである。
【発明の効果】
【０００５】和菓子と言う需要の安定している商品である大福もちに、栗きんとんを使う事により年間を通して栗きんとんの生産量が安定する。
【発明を実施するための最良の形態】
【０００６】栗きんとんは、きんとんに果物の栗を加えた食品である。きんとんは、さつまいも、砂糖、塩、みりんなどで構成されるものである。大福もちの外皮は、白玉粉、上白糖、水、片栗粉などで構成されるものである。この発明は以上の構成よりなる中身を変えた大福もちである。
(57)【要約】【課題】  チューブホルダーに混入したセラミックパウダーにより、酸化還元電位（ＯＲＰ）の値の減少化（活性水素を多量に発生させることができる）や遠赤外線作用及びマイナスイオン作用により、カキの細胞を活性化かせ、栄養分の吸収力を高め、よって成長性の高いカキを育てることができるチューブホルダーを提供する。【解決手段】  養殖用カキ筏に吊り下げられるカキ吊鋼線に取り付けるチューブホルダーであって、樹脂製のチューブ本体に、セラミックパウダーを混入してなることを特徴とする。【選択図】  図１
2005218429.tif 000002
【特許請求の範囲】
【請求項１】
養殖用カキ筏に吊り下げられるカキ吊鋼線に取り付けるチューブホルダーであって、樹脂製のチューブ本体に、セラミックパウダーを混入してなることを特徴とするチューブホルダー。
【請求項２】
セラミックパウダーの主成分がシリカ、アルミナ、酸化チタンであることを特徴とする請求項１記載のチューブホルダー。
【請求項３】
セラミックパウダーの粒径が２０ｎｍ以下であることを特徴とする請求項１又は２記載のチューブホルダー。
【請求項４】
チューブ本体の材質をポリプロピレンとし、セラミックパウダーとの重量比を、９９対１前後とすることを特徴とする請求項１、２又は３記載のチューブホルダー。
【発明の詳細な説明】
【技術分野】
【０００１】  養殖用カキ筏に吊り下げられるカキ吊鋼線に取り付けるチューブホルダーで、母貝に付着させたカキを活性化させ、大きくて美味しく成長させることのできるチューブホルダーに関するものである。
【背景技術】
【０００２】  背景技術として、同様な機能を有するものはないが、一例として母貝支持具がある。
この母貝支持具は、短尺で円筒状のロープ挿通パイプ部と、下端に該ロープ挿通パイプ部より大径の鍔状の母貝支持板とを一体形成してなり、その体内に軸方向に貫通するロープ挿通穴を有するものである。（特許文献１参照）
【特許文献１】実開平６−７５１５５号公報
【発明の開示】
【発明が解決しようとする課題】
【０００３】  しかし、上記のような形態のものは、吊ロープ（カキ吊鋼線）との接触によって切断し、母貝が海中へ紛失するのを防止する目的のもので、本発明とは本質的に異なるものである。【０００４】  本発明の目的は、チューブホルダーに混入したセラミックパウダーにより、酸化還元電位（ＯＲＰ）の値の減少化（活性水素を多量に発生させることができる）や遠赤外線作用及びマイナスイオン作用により、カキの細胞を活性化かせ、栄養分の吸収力を高め、よって成長性の高いカキを育てることができるチューブホルダーを提供するものである。
【課題を解決するための手段】
【０００５】  課題を解決するための手段として、養殖用カキ筏に吊り下げられるカキ吊鋼線に取り付けるチューブホルダーであって、樹脂製のチューブ本体に、セラミックパウダーを混入してなること。また、セラミックパウダーの主成分がシリカ、アルミナ、酸化チタンであること。さらに、セラミックパウダーの粒径が２０ｎｍ以下であること。その上、チューブ本体の材質をポリプロピレンとし、セラミックパウダーとの重量比を、９９対１前後とすることを特徴とする。
【発明の効果】
【０００６】１）、チューブ本体に混入したセラミックパウダーによる酸化還元電位（ＯＲＰ）の減少化（活性水素を多量に発生させる）により、カキ体内におけるストレスや病気（活性酸素が病気の元である）を特に活性水素にて中和し、病気を治し、よって病気に強いカキを作ることができ、歩留りがよくなる。
２）、また、遠赤外線（３μｍ〜９μｍ）を放出することにより、特に育成光線（５μｍ）がカキの成長に効果がある。
３）、さらに、マイナスイオンを発生することにより、カキが食べる栄養素の吸収力をアップさせることができ、成長性が高くなる。
４）、カキが元気に成長することにより、母貝への付着性が高くなり、落下することなく育成できる。
５）、セラミックパウダーの主成分はシリカ・アルミナ・酸化チタンが望ましく、よいデータが出た。
６）、セラミックパウダーの粒径を２０ｎｍ以下とすることにより、表面積を広く取ることができ、少量のパウダーで効果がある。
７）、チューブ本体をポリプロピレンとし、セラミックパウダーとの重量比を、９９対１前後とすることでも効果があり、コストを安くできる。
【発明を実施するための最良の形態】
【実施例】
【０００７】  チューブホルダー１は、ポリプロピレンを材料としてなる円筒状のチューブ本体２に、主成分がシリカ、アルミナ、酸化チタンからなる粒径が２０ｎｍ以下のセラミックパウダー３を重量比率で９９対１の割合で混入してなるものである。
なお、寸法は特に限定しないが、一例として長さが２１０ｍｍ位で、外径１５ｍｍ位である。【０００８】  上記チューブホルダー１の使用例について、養殖用カキ筏（図示せず）に吊り下げられるカキ吊鋼線ＫＹに取り付ける、各チューブホルダー１間にカキＫを付着させた母貝Ｂ（主にホタテ貝）を挟持して支持する。
この状態で、海中にて育成することにより、セラミックパウダー３による活性水素の発生により、カキＫの体内における特に活性酸素（病気の元）を中和することにより、病気に強いカキＫをつくることができる。
また、遠赤外線（３μｍ〜９μｍ）の育成光線（５μｍ）によりカキＫの成長を促すものである。
さらに、マイナスイオン（細胞間を広げる作用がある）により、栄養素の吸収力をアップさせることができる。
さらにまた、セラミックパウダーが少量でよく、安価に製造できるものである。【０００９】  上記の各種効果を立証するため、実際のデータを下記に述べる。
瀬戸内海にて、実際に養殖用カキ筏に取り付け、従来品（同じ大きさで、塩化ビニール製のもの）と比較した。
海中に沈めて６ヵ月後のデータとして、従来品で育てたカキＫの場合、平均３ｇであったのに対して、本発明の場合、平均５ｇに成長していた。
また、母貝ＢへのカキＫの付着数も、従来品では約１０％の損失であったのに対して、本発明の場合、ほとんど損失していなかった。
さらに、本発明の場合、カキＫの周囲にゴミが付きにくく、きれいな状態であり、商品価値が上がるものと思われる。【００１０】  なお、上記実施例において、チューブ本体の材質はポリプロピレン以外でも可能であり、重量比も９９対１よりセラミックパウダーを多くすれば、より効果的なことは言うまでもない。
【産業上の利用可能性】
【００１１】  上記のデータからもわかるように、非常によい結果が出ており、海の汚染によるカキの生産量の減少を阻止できると共に、増産が可能となり、カキ業界の発展に寄与できるものである。
【図面の簡単な説明】
【００１２】
【図１】本発明のチューブホルダーの一実施例を示す正面図。
【図２】本発明のチューブホルダーの一実施例を示す平面図。
【図３】本発明のチューブホルダーの使用状態を示す正面図。
【符号の説明】
【００１３】１−−−チューブホルダー
２−−−チューブ本体
３−−−セラミックパウダー
Ｂ−−−母貝
Ｋ−−−カキ
【図１】
2005218429.tif 000003
【図２】
2005218429.tif 000004
【図３】
2005218429.tif 000005
(57)【要約】【課題】従来、お粥、クリーム、カレーなどのレトルト食品は水を使用して製造されている。しかしながら、レトルト食品を飲食することにより確実な人間の健康を維持することは不可能であり、健康維持のための方法が必要とされている。【解決手段】本発明者は、レトルトパックのお粥、クリーム、カレーを重水素減少水（スーパーライトウォーター）を使用して製造する方法を開発してレトルト食品の飲食で健康維持を可能とするものである。【選択図】なし【特許請求の範囲】
【請求項１】
水と、８０ｐｐｍ以下の含有量の重水素を有し、又は、活性剤として、８０ｐｐｍ以下の含有量の重水素を含み、担体又は助剤と共に、製薬学的な製品或いは医薬溶液の形での、ヒトに適する水性溶液である、重水素減少水（スーパーライトウォーター）を使用してレトルトパックのお粥、クリーム、カレーを製造する
【請求項２】
重水素濃度が８０ｐｐｍ以下の重水素減少水（スーパーライトウォーター）を原料として使用したレトルトパックのお粥、クリーム、カレーを飲食することにより、病人は病気を治療することになり、健康な人をさらに健康になる。
【発明の詳細な説明】
【技術分野】
【０００１】  本発明は、重水素減少水（スーパーライトウォーター）を使用してレトルトパックのお粥、クリーム、カレーの製造することである。
【背景技術】
【０００２】  従来、お粥、クリーム、カレーなどのレトルト食品は水を使用して製造されている。
【発明の開示】
【発明が解決しようとする課題】
【０００３】  しかしながら現実において、レトルト食品を飲食することにより人間の健康を維持することは不可能であり、健康維持のための方法が必要とされている。
【課題を解決するための手段】
【０００４】  本発明者等は係る課題を解決するために鋭意研究したところ、レトルトパックのお粥、クリーム、カレーを重水素減少水（スーパーライトウォーター）を使用して製造する方法を開発して、本発明を提供するものである。【０００５】  すなわち本発明はガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進に最適な重水素減少水（スーパーライトウォーター）をレトルトパックのお粥、クリーム、カレーの製造に使用することにより体内の重水素濃度を低下させ、病人は病気を治療することになり、健康な人をさらに健康にする。
【発明の効果】
【０００６】  以上説明したように、本発明によれば重水素濃度８０ｐｐｍ以下の重水素減少水（スーパーライトウォーター）をレトルトパックのお粥、クリーム、カレーの製造に使用することにより、重水素減少水（スーパーライトウォーター）を原料に使用したレトルトパックのお粥、クリームを飲食した人の体内の重水素濃度を低下させ、ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進をし、飲食者が病人場合は病気を治療することになり、健康な人はさらに健康になる効果がある。
【発明を実施するための最良の形態】
【０００７】  本発明は重水素減少水（スーパーライトウォーター）をレトルトパックのお粥、クリーム、カレーの製造に使用し、それを飲食することにより効果的に体内の重水素濃度を低下させる。【０００８】  お粥は、玄米を使用し黒米、小豆、赤米、しいたけ、大根、とうもろこし等を混合し重水素減少水（スーパーライトウォーター）で煮込みレトルトパックをする。【０００９】  クリームは、炊き上げた玄米ご飯にかぼちゃ、青菜、人参等を混合しミンチ状にした後に重水素減少水（スーパーライトウォーター）でクリーム状になるまで煮込みレトルトパックをする。【００１０】  クリームは、味噌汁に混ぜたり、スープ状にしたりして飲むことができ、消化吸収に優れているため玄米食に身体が慣れていない人に適している。【００１１】  また、クリームは離乳食、病人食、老人の流動食にも適している。【００１２】    カレーの製造は通常のカレーと同じだが、煮込む水に重水素減少水（スーパーライトウォーター）を使用してレトルトパックをする。【００１３】  重水素減少水（スーパーライトウォーター）を原料として使用したレトルトパックのお粥、クリーム、カレーを飲食することにより体内の重水素濃度を低下させ、ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進をし、飲食者が病人の場合は病気の治療効果が得られ、健康な人はさらに健康になる効果が得られる。
(57)【要約】【課題】  下肢の病気で立ち歩きの出来ない人でも膝立ての歩行で、一人で移動出来る様要な、安定した膝つき歩行補助具の開発 【解決手段】  膝つき歩行補助具の躯体部を、後方が開いた半月状で前方を高くして、使用者が半月状躯体の後方から寄りかかれば、前方が高くなったクッション機能のある半月状躯体で使用者の上体を保持するので、使用者は上体を膝つき歩行補助具に預けて、這いながら膝を立てて進み、行きたい方向に力を加えれば、前輪がそれに従って方向を変える機構を取りつけたものである。【選択図】  図１
2005218464.tif 000002
【特許請求の範囲】
【請求項１】
逆Ｕ字状に開いた躯体の後部を低く構成して、当該躯体後部の左右のそれぞれに車輪を設け、且つ前部を高く構成した躯体の前部に、使用者の上体を預ける胸当てを設け、更に躯体前部の前方に突出構造とした前脚にクッション機能を設けた構造として、当該前脚の先端部に複数のキャスタ−を設けた構造とし、使用者の体重の加重でクッション機能が作用する構造を特徴とする膝つき歩行補助具。
【請求項２】
膝つき歩行補助具の躯体の前部から突出する、前脚の先方と躯体後方の左右それぞれをチェ−ンやワイヤ−等の紐で連結し、且つ当該紐の中間部と躯体の左右それぞれの側面部をバネで結合した構造を特徴とする膝つき歩行補助具。                               
【発明の詳細な説明】
【技術分野】
【０００１】
本発明は、下肢の異常で歩く事が困難な人が、少しでも一人で移動出来る様に努力する訓練用を兼ねた歩行補助車等、一般に使用されている歩行補助用具に関するものである。
【背景技術】
【０００２】
下肢に異常のある人や老人は、一人での歩行が困難で寝たきりになる人が多く、その解決策に種々の杖や、車付の歩行補助具に脇の下を乗せて、立ち歩きする方法等が用いられていた。
【０００３】
上述した従来の歩行補助具には、以下に述べる様な欠点があった。即ち、下肢に異常があり、立ち歩きは不可能で膝立て歩行だけが可能な人は、小型化した松葉杖の使用では不安定で極めて危険であり、又、車輪付きの歩行補助具も、立ち歩き用に考案されている為に、床上等での膝つき歩行に用いるのは極めて困難で危険であった。
【特許文献１】特開２００２−１９１６５５号公報
【発明の開示】
【発明が解決しようとする課題】
【０００４】
本発明が解決しようとする課題は、下肢の異常で立って歩行補助具を利用する事が困難で、移動手段として四つ這いだけだった人でも、１人で膝を立て歩行具によりかかり、膝つき歩行具を押せば、使用者の意志通りの方向に進行する、安全で効率的な膝つき歩行補助具を提供することにある。
【課題を解決するための手段】
【０００５】
かかる課題を解決した本発明の構成は、
１）  膝つき歩行補助具の躯体部を、後方が開いた逆Ｕ字状で前方を高くして、且つ前脚がクッション機能によって伸縮する構造として、使用者が、膝つき歩行補助具の逆Ｕ字状躯体の後方から寄りかかれば、前方を高く構成し前脚がクッション機能を有する逆Ｕ字状躯体で使用者の上体を保持するので、使用者は上体を、当該膝つき歩行補助具に預けて這いながら膝を立てて歩ける様に構成した器具である。
２）  逆Ｕ字状躯体の前部から前方に傾斜し、且つ、傾斜角度を可変構造にした前脚を設け、前脚の先端の左右にキャスタ−を設けた構造として、右側後部車輪取り付け部、及び左側後部車輪取り付け部分と、前脚の左右部先端部分をそれぞれ、チェ−ン又はワイヤ−等の紐で連結し、それら左右の連結紐の中間と、逆Ｕ字状躯体の左右それぞれの側面とをバネで接続した構造としている。従って、使用者が逆Ｕ字状躯体に体重を加えれば、前述のチェ−ン又はワイヤ−等の紐の中間を躯体側に緊張したバネの伸縮によって、クッション作用が生ずると共に、体重によってバネが伸び前脚が前方に開き、躯体前方が下降する様に構成した器具である。
３）  前脚の先端部分に設けた前脚キャスタ−取付金具と前脚との接続軸を、自由回転軸とし、且つ、前脚キャスタ−取り付け座金の自由回転軸と前脚キャスタ−取り付け位置の間に間隔を設けた機構で、膝つき歩行補助具の前進時に自然に前脚キャスタ−が、前記自由回転軸の後方に位置する構造として、使用者が進みたい方向に膝つき歩行補助具を押すと、前脚キャスタ−が自然に進行方向に向きを変えて進む事が出来る様に構成した器具である。
【発明の効果】
【０００６】
本発明は、以上説明したように構成されているので、以下に記載するような効果を奏する。
【０００７】
本発明の膝つき歩行補助具は軽量であり、キャスタ−の直径及び転がり摩擦を適度にすれば、使用者が寄りかかっている間は、後部が低い逆Ｕ字状躯体１で上体を支え安定し、膝つき歩行補助具と共に暴走する危険がなく安心して利用出来る。
１）安定した寄りかかり歩行が出来る。
２）衝撃吸収効果があり、柔軟な使用感が得られる。
３）目的方向に押すだけで、自由に方向変換が出来る。            
４）保管時は、前脚を後輪の方向に寄せて立てれば、小容積に出来る。
【発明を実施するための最良の形態】
【０００８】
立ち上がって歩行具を使用出来ない人が、上体を保持具に縋って、膝立てでも一人で移動したいという目的を、小型軽量で安全な器具により実現した。
【実施例１】
【０００９】
本発明の実施例を図面を参照にして説明する。膝つき歩行補助具の逆Ｕ字状躯体１、即ち上体保持部を、後方が開いた逆Ｕ字状の金属や樹脂等の強固な材料の躯体１の前部に、柔軟な発泡樹脂や布等で被覆した胸当て８を構成し、当該躯体１後方の左右のそれぞれに後車輪２を設け、躯体１の前部に設けた前脚支持回転軸９に結合された前脚３の下端に、前輪支持具回転軸１０で結合した前輪支持具５を介して前輪４を取付けた前脚３を、前方に傾斜する構造としたものである。尚、前脚３の左右の先端部分と、躯体１の後部の左右とを左右別に、それぞれチェ−ン６で連結して、それ等左右のチェ−ン６の中間部と、躯体１の左右それぞれの側面部とをバネ７で牽引接続して取付けた構造である。従って、利用者が躯体１の胸当て８に体重を加えた時、前脚３が前方に傾斜する方向に力が加わり、チェ−ン６に張力が加わりバネ７に張力が及び、バネ７が伸びるために、前脚３は前方に傾斜し、緩衝作用と躯体１の前方の高さ調整作用が生ずる。
【産業上の利用可能性】
【００１０】
直立ができず、膝つき歩行だけが可能な障害者が、上体を当該膝つき歩行具の胸当てに預けて、進みたい方向に押すだけで、容易に安全に膝つき歩行を可能にした膝つき歩行補助具の提供。
【図面の簡単な説明】
【００１１】
【図１】膝つき歩行具の側面図である。
【図２】膝つき歩行具の平面図である。
【符号の説明】
【００１２】
１  躯体
２  後輪
３  前脚
４  前輪
５  前輪支持具
６  チェ−ン
７  バネ    
８  胸当て
９  前脚支持回転軸
１０  前輪支持具回転軸 
【図１】
2005218464.tif 000003
【図２】
2005218464.tif 000004
(57)【要約】本発明は、携帯電話機用の皮製ストラップであり、利用時に携帯電話機の収納、保護、表示部分窓の汚れふき取り等、携帯電話機の補助となる機能を備えた物である。【課題】従来、携帯電話機のストラップは、機能を持たないものが多く、装飾を中心とするが、携帯電話機の普及に伴い、補助機能を果たすものが要求されている。【解決手段】携帯電話機に取り付ける皮または合皮のストラップであり、携帯電話機の横幅とほぼ同様の幅の有るベルト上の枠で、携帯電話機の縦長さ合計より若干長く枠上にしてあり、皮の弾力により、携帯電話機を簡便に収納できる。また、通話時などは、この枠でハンドベルトとして使用され、携帯電話機の落下を防止する機能があり、皮の性質上、裏面で、携帯電話機の表示部分などの汚れふき取りにも使用できる。【選択図】          図２
2005218469.tif 000002
【特許請求の範囲】
【請求項１】
皮または合皮を使用しベルト状枠にしたもので、携帯電話機の縦まわりサイズ合計より若干の余裕のあるもので、携帯ストラップの状態をなし携帯電話機と繋がり、携帯電話機の横サイズとほぼ同様のサイズ幅のあるベルト幅を持つもので携帯電話機がベルト状内部に収納可能で、通話時にはハンドベルト状態にもなり、ベルト上の内側で、携帯電話機の表示窓の汚れ拭き取り可能な三徳のあるものである。
【請求項２】
請求項１の携帯電話機に取り付けるストラップで、装飾物となる。
【発明の詳細な説明】
【技術分野】
【０００１】
本発明は携帯電話機の使い易さと保護を対象とする皮製または合皮のストラップに関するものである。
【背景技術】
【０００２】
従来の携帯用ストラップは、飾り的な物が多く、実用的ではないものが多く、また、多機能に携帯電話機の使用について補助する機能を有さない。
【発明の開示】
【発明が解決しようとする課題】
【０００３】
携帯電話を使用する上で、通話時や携帯時、保管時に、携帯電話機の保護を目的とするストラップである。精密電子機器である携帯電話機は、通話時や携帯時の落下破損を防止する為に、皮または合皮で出来たベルト状態で、ハンドバンドとして使用可能であり、保管時には、このベルト状態の中に携帯電話機を簡単に収納出来、保護ケースの役割を果たす。本発明は、これら携帯電話機の利用時の問題点を解決するために発明されたものである。
【課題を解決するための手段】
【０００４】
皮のベルト状の枠を携帯電話の縦円周より若干大きめに作り、ベルトの端と端を繋ぐ。
繋ぎ方は歯止めでもボタンでも縫い合わせでも良く、従来の手法を用いる物とする。
皮の特性で、このベルト状の枠には、携帯電話が、横から収納され、皮の持つ若干の張り具合で、収納後の携帯電話は、収まりの良い状態となる。
ベルト状の横サイズは携帯の横サイズとほぼ同様な為、皮の弾力により、携帯電話は、保護される状態になる。
【発明の効果】
【０００５】
皮の裏地で、汚れを拭き取る機能を持ち、容易に携帯電話を横から安易に収納できる、皮の弾力により収納後の外部からの衝撃に対し、保護できる。また、収納しない携帯電話使用時には、ハンドベルトの役割を果たし、携帯電話の落下を防止する。
また皮の高級感は、ストラップの機能を果たすに十分な感じを与える。
【発明を実施するための最良の形態】
【０００６】
図面１の「あ」は、携帯電話機と本発明図面１の「う」を繋ぐ。図面１の「う」はベルト状態で図面１の「い」部分で端と端がホックやボタン、歯止め、ファスナーなど一般的に止められ、携帯の縦サイズより若干大きめのサイズの本発明ストラップは、図面２の「え」携帯電話機の横サイズとほぼ同様のサイズであり、通常のストラップとしてもかさばることがない。図面３の「か」は、皮の張り具合で、収納が勘弁であり、持ち歩きに楽なものである。また皮の裏地は、携帯の汚れ拭きとして最適な材質である。
【図面の簡単な説明】
【０００７】
【図１】本発明の皮製ストラップ
【図２】携帯電話機に取り付けた状態
【図３】携帯電話機を収納する手順
【符号の説明】
【０００８】
あ  携帯電話機との接続ストラップ
い  皮または合皮のベルト枠の留め金
う  本発明の皮または合皮のベルト枠本体
え  携帯電話機
お  携帯電話機との接続ストラップ
か  携帯電話機をベルト枠に挿入する
【図１】
2005218469.tif 000003
【図２】
2005218469.tif 000004
【図３】
2005218469.tif 000005